(57)【特許請求の範囲】
【請求項１】
電話機に内線番号の他に仮想内線番号を割り当てることができ、前記内線番号及び前記仮想内線番号を利用した前記電話機による通話を可能とする機能を有するボタン電話装置であって、
前記電話機にて前記仮想内線番号を用いて通話中に着信があった場合に発信側へ話中音を返送する設定を行う設定手段と、
前記電話機にて前記仮想内線番号を用いて通話中であるか否かを判断する判断手段と、
前記電話機にて前記仮想内線番号を用いて通話中に前記内線番号に着信があった場合、前記設定手段の設定に従って、前記電話機に読出し音を送出する代わりに、話中音を前記発信側に返送する話中音返送手段と
を備えることを特徴とするボタン電話装置。
【請求項２】
電話機に内線番号の他に仮想内線番号を割り当てることができ、前記内線番号及び前記仮想内線番号を利用した前記電話機による通話を可能とする機能を有するボタン電話装置であって、
前記電話機にて前記仮想内線番号を用いて通話中に着信があった場合に発信側へボイスメールを返送する設定を行う設定手段と、
前記電話機にて前記仮想内線番号を用いて通話中であるか否かを判断する判断手段と、
前記電話機にて前記仮想内線番号を用いて通話中に前記内線番号に着信があった場合、前記設定手段の設定に従って、前記電話機に呼び出し音を送出する代わりに、ボイスメールを前記発信側に返送するボイスメール返送手段と
を備えることを特徴とするボタン電話装置。
【請求項３】
電話機に内線番号の他に仮想内線番号を割り当てることができ、前記内線番号及び前記仮想内線番号を利用した前記電話機による通話を可能とする機能を有するボタン電話装置であって、
前記電話機にて前記仮想内線番号を用いて通話中に着信があった場合に発信側へボイスメールを返送し且つ発信側のメッセージを録音する設定を行う設定手段と、
前記電話機にて前記仮想内線番号を用いて通話中であるか否かを判断する判断手段と、
前記電話機にて前記仮想内線番号を用いて通話中に前記内線番号に着信があった場合、前記設定手段の設定に従って、前記電話機に呼び出し音を送出する代わりに、ボイスメールを前記発信側に返送し且つ発信側のメッセージを録音するメッセージ録音手段と
を備えることを特徴とするボタン電話装置。
【請求項４】
前記設定手段における設定は、通話開始前に予め行うこと
を特徴とする請求項１乃至請求項３記載のボタン電話装置。
【請求項５】
前記設定手段における設定は、前記仮想内線番号を用いて通話中で且つ前記内線番号に着信前に予め行うこと
を特徴とする請求項１乃至請求項３記載のボタン電話装置。
【請求項６】
前記設定手段における設定は、前記仮想内線番号を用いて通話中で且つ前記内線番号に着信後に行うこと
を特徴とする請求項１乃至請求項３記載のボタン電話装置。
【請求項７】
前記電話機に、前記設定手段による設定内容を表示する表示手段をさらに備えることを特徴とする請求項１乃至請求項３のいずれかに記載のボタン電話装置。
【請求項８】
前記電話機にて前記仮想内線番号を用いて通話中に前記内線番号に着信があった場合に、その前記内線番号に対する着信の表示をさせる着信表示手段
をさらに備えることを特徴とする請求項１乃至請求項３のいずれかに記載のボタン電話装置。
【請求項９】
前記着信表示手段は、前記内線番号の発信者の電話番号を表示すること
を特徴とする請求項８に記載のボタン電話装置。
【請求項１０】
前記設定手段による設定は、発信者番号毎に行うこと
を特徴とする請求項1記載のボタン電話装置。
【請求項１１】
前記設定手段による設定は、発信者番号毎に優先度をつけて行い、
前記話中音返送手段は、前記電話機にて前記仮想内線番号を用いて通話中に前記内線番号に着信があった場合、前記設定手段の設定内容に従って、前記内線番号への発信側の発信者番号の優先度が前記仮想内線番号への発信側の発信者番号の優先度よりも低い時に、前記電話機に呼び出し音を送出する代わりに、話中音を前記内線番号への発信側に返送すること
を特徴とする請求項1記載のボタン電話装置。
【請求項１２】
電話機に内線番号の他に仮想内線番号を割り当てることができ、前記内線番号及び前記仮想内線番号を利用した前記電話機による通話を可能とする機能を有するボタン電話装置の着信受付方法であって、
着信先の前記電話機が内線番号を用いて通話中に着信があった場合、発信側へ話中音を返送し、
着信先の前記電話機が仮想内線番号を用いて通話中に前記内線番号に着信があった場合、その場合に発信側へ話中音を返送するか否かが設定された設定内容に従って発信側へ話中音を返送すること
を特徴とするボタン電話装置の着信受付方法。
【発明の詳細な説明】
【０００１】
【発明の属する技術分野】
本発明は、通話中に第三者からの呼びがあった場合の当該呼びの制御に関する。
【０００２】
【従来の技術】
従来の電話交換装置のうちボタン電話装置では、内線のボタン電話機に仮想内線番号を割当てることができる。ここで、仮想内線番号とは、物理的な収容位置及び電話機ユニットを持たない内線に割当てられた番号のことである。例えば、２００番の内線番号が割り当てられたボタン電話機に、他の内線端末に割り当てられている５００番、５０１番などの内線番号も仮想内線番号として割り当てることができる。このようなボタン電話機は通常本来の２００番の内線番号を利用して通話できるが、５００又は５０１番の仮想内線番号を利用しても通話することができる。
【０００３】
次に、従来のボタン電話装置の内線番号呼び出し処理について説明する。内線に着信があると、まず、内線番号に基づき着信分析を行い、着信先を検索する。次にこの内線番号のボタン電話機が通話中かどうかを判定し、通話中でなければ、発信側に呼び出し音を送出して、処理を終了する。一方、通話中であれば、発信側に話中音を返送して、処理を終了する。
従って、ボタン電話機本来の内線番号、上記の例では２００番を使用して通話しているときに、この２００番に別のところから着信があっても、発信側に話中音を返送する。よって、発信側は話中であることを知り電話を切ることとなるであろう。
【０００４】
一方、このボタン電話機が５００番の仮想内線番号を用いて通話中に別のところから着信がある場合には、２００番の内線は空いているため、通話中でないと判定され、主装置から仮想内線番号で通話中のボタン電話機に呼び出し音が送出され、このボタン電話機から呼び出し音が発生することとなる。しかし、この時、このボタン電話機は５００番を用いて話し中であるため、この呼び出し音に応答することができず、呼び出し音が鳴りっ放しになって、落ち着いて通話を続行できない。又、発信者も被呼者が話中であることが分からないため、状況を正確に把握できず、無駄な待ち時間を浪費するという不具合があった。
【０００５】
【発明が解決しようとする課題】
上記の如く、あるボタン電話機に本来割り当てられている内線番号以外の仮想内線番号を用いて通話中に、別のところからこの電話機に着信があると、本来割り当てられている内線番号は空いているため、このボタン電話機から呼び出し音が出力されるが、この呼び出しに応答できないため、呼び出し音が鳴りっ放しになって、落ち着いて通話を続行することができなくなるという不具合が生じる。又、発信者も、呼び出しになかなか応答しないことは分かるが、被呼者が話中であることが分からないため、状況を正確に把握できず、無駄な待ち時間を浪費するという不具合があった。
【０００６】
本発明は、仮想内線番号を用いて通話中に、別のところから内線番号を利用した着信があった場合、発信側に対して適切な処置を採ることができるボタン電話装置及びその着信受付方法を提供することを目的としている。
【０００７】
【課題を解決するための手段】
本願に記載の第一の発明は、電話機に内線番号の他に仮想内線番号を割り当てることができる機能を有するボタン電話装置において、前記電話機にて前記仮想内線番号を用いて通話中に着信があった場合に発信側へ話中音を返送する設定を行う設定手段と、前記電話機にて前記仮想内線番号を用いて通話中に前記内線番号に着信があった場合、前記設定手段の設定内容をチェックし、前記発信側に話中音を返送する設定がなされている場合、前記電話機に呼び出し音を送出する代わりに、話中音を前記発信側に返送する話中音返送手段とを具備したことを特徴とするボタン電話装置である。
【０００８】
このような構成により、前記設定手段により前記ボタン電話機にて前記仮想内線番号を用いて通話中に着信があった場合、発信側へ話中音を返送する設定を行えば、前記話中音返送手段は前記ボタン電話機にて前記仮想内線番号を用いて通話中に着信があった場合、前記ボタン電話機に呼び出し音を送出する代わりに、話中音を前記発信側に返送する制御を行う。
【０００９】
本願に記載の第二の発明は、電話機に内線番号の他に仮想内線番号を割り当てることができる機能を有するボタン電話装置において、前記電話機にて前記仮想内線番号を用いて通話中に着信があった場合に発信側へボイスメールを返送する設定を行う設定手段と、前記電話機にて前記仮想内線番号を用いて通話中に前記内線番号に着信があった場合、前記設定手段の設定内容をチェックし、前記発信側にボイスメールを返送する設定がなされている場合、前記電話機に呼び出し音を送出する代わりに、ボイスメールを前記発信側に返送するボイスメール返送手段とを具備したことを特徴とするボタン電話装置である。
【００１０】
このような構成により、前記ボタン電話機にて前記仮想内線番号を用いて通話中に着信があった場合、前記ボイスメール返送手段は前記ボタン電話機へ前記呼び出し音を送出することを停止し、代わりに発信側に本電話機が話中である旨のボイスメールを返送する。
【００１１】
本願に記載の第三の発明は、電話機に内線番号の他に仮想内線番号を割り当てることができる機能を有するボタン電話装置において、前記電話機にて前記仮想内線番号を用いて通話中に着信があった場合に発信側へボイスメールを返送し且つ発信側のメッセージを録音する設定を行う設定手段と、前記電話機にて前記仮想内線番号を用いて通話中に前記内線番号に着信があった場合、前記設定手段の設定内容をチェックし、前記発信側にボイスメールを返送し且つ発信側のメッセージを録音する設定がなされている場合、前記電話機に呼び出し音を送出する代わりに、ボイスメールを前記発信側に返送し且つ発信側のメッセージを録音するメッセージ録音手段とを具備したことを特徴とするボタン電話装置である。
【００１２】
このような構成により、前記ボタン電話機にて前記仮想内線番号を用いて通話中に着信があった場合、前記メッセージ録音手段は前記ボタン電話機へ前記呼び出し音を送出することを停止し、代わりに発信側のメッセージを録音する。
【００１３】
本願に記載の第四の発明は、電話機に内線番号の他に仮想内線番号を割り当てることができる機能を有するボタン電話装置において、前記電話機にて前記仮想内線番号を用いて通話中に前記内線番号に着信があった場合に発信側へ話中音を返送する設定を、発信側毎にオン・オフする設定手段と、前記電話機にて前記仮想内線番号を用いて通話中に前記内線番号に着信があった場合、前記設定手段の設定内容をチェックし、前記発信側に話中音を返送する設定がオンの場合、前記電話機に呼び出し音を送出する代わりに、話中音を前記発信側に返送する話中音返送手段とを具備したことを特徴とするボタン電話装置である。
【００１４】
このような構成により、前記設定手段により前記ボタン電話機にて前記仮想内線番号を用いて通話中に着信があった場合、発信側毎に話中音を返送する設定を行えば、この話中音を返送する設定がオンの発信側から着信があった場合にのみ、前記ボタン電話機に呼び出し音を送出する代わりに、話中音を前記発信側に返送する制御を行う。
【００１５】
本願に記載の第五の発明は、電話機に内線番号の他に仮想内線番号を割り当てることができる機能を有するボタン電話装置において、前記電話機にて前記仮想内線番号を用いて通話中に前記内線番号に着信があった場合に発信側へ話中音を返送する設定を、発信側毎に優先度をつけて行う設定手段と、前記電話機にて前記仮想内線番号を用いて通話中に前記内線番号に着信があった場合、前記設定手段の設定内容をチェックし、前記内線番号の発信側の優先度が前記仮想内線番号の発信側の優先度よりも低い時にのみ、前記電話機に呼び出し音を送出する代わりに、話中音を前記発信側に返送する話中音返送手段とを具備したことを特徴とするボタン電話装置である。
【００１６】
このような構成により、前記ボタン電話機にて前記仮想内線番号を用いて通話中に着信があった場合、発信側の優先度を比較し、後から着信した発信側の優先度が先に着信した発信側の優先度よりも低いときに、その後から着信した発信側へ話中音を返送する制御を行う。
本願に記載の第六の発明は、前記第一乃至第五の発明の設定手段を、前記電話機とは別に設けられた入力手段としたことを特徴とするボタン電話装置である。
【００１７】
このような構成により、複数のボタン電話機に対する設定を一括して行うことができる、あるいは設定内容の登録や変更を容易に行うことができる。
本願に記載の第七の発明は、前記第一乃至第五の発明の設定手段を、前記電話機に設けられた所定のキーとしたことを特徴とするボタン電話装置である。
このような構成により、ボタン電話機の所定キーの操作で、話中音やボイスメールを返送する設定を行う。
【００１８】
本願に記載の第八の発明は、電話機に内線番号の他に仮想内線番号を割り当てることができる機能を有するボタン電話装置の着信受付方法であって、着信先の前記電話機が内線番号を使用中かどうか判定し、当該内線番号を使用中であれば、発信側へ話中音を返送し、着信先の前記電話機が仮想内線番号を使用中かどうか判定し、当該仮想内線番号を使用中であれば、発信側へ話中音またはボイスメールを返送することを特徴とするボタン電話装置の着信受付方法である。
このような方法により、着信先のボタン電話機が使用中であれば、発信側へ話中音またはボイスメールを返送する。
【００１９】
【発明の実施の形態】
以下、本発明の実施の形態を図面を参照して説明する。
（第１の実施の形態）
図１は本発明の電話交換装置に係るボタン電話装置の第１の実施の形態を示したブロック図である。１は、アナログ加入者回線２、ボタン電話機（ＤＫＴ）３、単独電話機（ＳＬＴ）４に対する通話制御を行う主装置、２は主装置１に収容されているアナログ加入者回線、３は主装置１に収容されているボタン電話機（ＤＫＴ）、４は主装置１に収容されている単独電話機（ＳＬＴ）である。
【００２０】
ここで、主装置１は、アナログ加入者回線２が接続された局線ユニット１１、ボタン電話機３が接続されこれを制御する内線ユニット１２、単独電話機４が接続されこれを制御する標準電話機ユニット１３、主装置１全体を制御する制御ユニット１４、これらユニット間で制御データを伝送するための制御データハイウェイ１５、音声データを伝送するためのＰＣＭハイウェイ１６を有している。更に、制御ユニット１４は制御データハイウェイ１５を介して送られてきた制御データを分析する１チップマイクロコンピュータ１４１、１チップマイクロコンピュータ１４１の分析結果などに基づいて通話制御及びこれに関連する各種処理を行う１６ビットマイクロコンピュータ１４２、１６ビットマイクロコンピュータ１４２で実行させるプログラムなどを格納しているＲＯＭ１４３、１６ビットマイクロコンピュータ１４２などの処理動作に必要な各種データを保存するＲＡＭ１４４、局線ユニット１１や内線ユニット１２や標準電話機ユニット１３と制御ユニット１４をＰＣＭハイウェイ１６を通して交換接続するタイムスイッチ１４６、各種トーン信号を発生するトーン回路１４７、電話を用いた会議などを行うための会議回路１４８を有している。
【００２１】
図２は図１に示したボタン電話機３の詳細例を示した平面図である。３１ｃ〜３１ｈは内線番号が割当てられたフレキシブルボタン、３２はダイヤルパッド、３３は各種情報を表示するためのＬＣＤ等の表示器、３４は送受話器である。ここで、フレキシブルボタン３１ｃ〜３１ｇには、５０４〜５００の仮想内線番号が割当てられており、フレキシブルボタン３１ｈには、本ボタン電話機の内線番号である２００番が割当てられているものとする。
【００２２】
次に本実施の形態の動作について説明する。まず、ボタン電話機３にて仮想内線番号で通話中の時に、第三者から２００番に着信があった場合、発信側に話中音を返すか、本電話機に呼び出し音を送出するかを、主装置１に予め設定しなければならない。そのためには、ボタン電話機３より内線番号呼び出し方式機能設定要求を内線ユニット１２、制御データハイウェイ１５を介して１チップマイクロコンピュータ１４１に出す。これにより、１６ビットマイクロコンピュータ１４２は１チップマイクロコンピュータ１４１より内線番号呼び出し方式機能設定要求が出されていることを知り、内線番号呼び出し方式機能設定モードになる。その後、１６ビットマイクロコンピュータ１４２はボタン電話機３から入力されるデータに従って、ＲＡＭ１４４にボタン電話機３に対する呼び出し方式の機能設定を行う。
【００２３】
図３は上記した機能設定時の処理の手順を示したフローチャートである。１６ビットマイクロコンピュータ１４２は、まず内線呼び出し方式の機能設定であるかどうかを判定し（ステップ３０１）、そうでない場合は処理を終了する。一方そうである場合は、ボタン電話機３を介して要求された呼び出し方式が話中音返送（ＢＴ）なのか、或いは呼び出し音送出（ＲＢＴ）なのかを判定し（ステップ３０２）、話中返送の場合はＲＡＭ１４４にＢＴ（Busy Tone ）を設定して処理を終了し（ステップ３０３）、呼び出し音送出の場合はＲＡＭ１４４にＲＢＴ(Ring back tone)を設定して処理を終了する（ステップ３０４）。
【００２４】
これにより、ＲＡＭ１４４にＢＴが設定された場合、以降、ボタン電話機３が仮想内線番号を利用した通話中に、第三者から前記内線番号である２００番を利用した着信があった場合、当該第三者に対し話中音を返送する制御が行われる。又、ＲＡＭ１４４にＲＢＴが設定された場合、以降、ボタン電話機３が仮想内線番号を利用した通話中に、第三者から前記２００番を利用した着信があった場合、このボタン電話機３に呼び出し音が送出される制御が行われる。
【００２５】
図４は着信があった際の制御ユニット１４の動作を示したフローチャートである。１チップマイクロコンピュータ１４１は、局線ユニット１１、内線ユニット１２、標準電話機ユニット１３のいずれかから制御データハイウェイ１５を介して着信があると、この着信を分析して、１６ビットマイクロコンピュータ１４２に知らせる（ステップ４０１）。これにより、１６ビットマイクロコンピュータ１４２は着信先を検索する（ステップ４０２）が、この例ではその着信先をボタン電話機３とする。
【００２６】
次に、１６ビットマイクロコンピュータ１４２は、着信先のボタン電話機３の内線番号２００番が通話中であるかどうかを判定し（ステップ４０３）、通話中である場合はステップ４０８へ飛び、発信側に話中音を送出する（ステップ４０８）。通話中でない場合、１６ビットマイクロコンピュータ１４２は着信した内線番号がボタン電話機３の内線番号２００番であるかどうかを判定する（ステップ４０４）。
【００２７】
ここで、２００番でなく例えば仮想内線番号の５０１番等であった場合は、発信側に呼び出し音を送出する（ステップ４０７）。２００番の内線番号であった場合は、１６ビットマイクロコンピュータ１４２は、ボタン電話機３がいずれかの仮想内線番号を用いて通話中（使用中）であるかどうかを判定する（ステップ４０５）。
【００２８】
ここで、通話中でない場合はステップ４０７へ飛び、通話中である場合は、ＲＡＭ１４４内の呼び出し方式の機能設定データをチェックする（ステップ４０６）。その結果、ＢＴ（話中音の返送）が設定されていることが分かると、１６ビットマイクロコンピュータ１４２は、トーン回路１４７よりタイムスイッチ回路１４６、ＰＣＭハイウェイ１６を介し、更に、例えば局線ユニット１６からアナログ加入者回線２側の発信側に話中音を返送し（ステップ４０８）、処理を終了する。一方、前記ＲＡＭ１４４にＲＢＴ（呼び出し音の送出）が設定されていた場合、１６ビットマイクロコンピュータ１４２は、トーン回路１４７よりタイムスイッチ回路１４６、ＰＣＭハイウェイ１６を介し、更に内線ユニット１２からボタン電話機３に呼び出し音を送出し（ステップ４０７）、処理を終了する。
【００２９】
本実施の形態によれば、ボタン電話機３に対し、主装置１にＢＴ（話中音の返送）を設定しておけば、ボタン電話機３が仮想内線番号で通話中に、別のところから本電話機の内線番号に着信があった場合、主装置１から発信側に話中音を返送することができるため、発信者はボタン電話機３が話中であることを直ちに知り、電話を切るなどの適切な動作を行うことができる。又、ボタン電話機３が仮想内線番号で通話中に、このボタン電話機３から呼び出し音が出力されることがなく、落ち着いて通話を行うことができる。
【００３０】
尚、本例では主装置１にＲＢＴ（呼び出し音の送出）を設定しておけば、従来通りの呼び出し方式も使用できるため、ボタン電話機３の呼び出し方式のフレキシビリティーを向上させることができる。
【００３１】
（第２の実施の形態）
図５は本発明のボタン電話装置の第２の実施の形態を説明する図である。本例のボタン電話機３には、呼び出し方式の変更ボタン３５が設けられている他は、図１に示した第１の実施の形態と同様の構成であるため、主装置１などの動作は図１を借用して説明する。
【００３２】
次に本実施の形態の動作について図６のフローチャートを参照して説明する。１チップマイクロコンピュータ１４１は、局線ユニット１１、内線ユニット１２、標準電話機ユニット１３のいずれかから制御データハイウェイ１５を介して着信があると、この着信を分析して、１６ビットマイクロコンピュータ１４２に知らせる（ステップ６０１）。これにより、１６ビットマイクロコンピュータ１４２はステップ６０２にて着信先を検索するが（ステップ６０２）、この例ではその着信先をボタン電話機３とする。
【００３３】
次に、１６ビットマイクロコンピュータ１４２は、着信先のボタン電話機３の内線番号２００番が通話中であるかどうか判定する（ステップ６０３）。通話中でない場合、１６ビットマイクロコンピュータ１４２は着信した内線番号がボタン電話機３の内線番号２００番であるかどうかを判定し（ステップ６０４）、２００番でなく例えば仮想の５０１番等であった場合は、ステップ６０７へ飛び、２００番の内線番号であった場合はステップ６０５へ進む。
【００３４】
１６ビットマイクロコンピュータ１４２は、ボタン電話機３がいずれかの仮想内線番号を用いて通話中（使用中）であるかどうかを判定し（ステップ６０５）、通話中でない場合はステップ６０７へ飛び、通話中である場合は、ボタン電話機３の変更ボタン３５がオンかどうかをチェックする（ステップ６０６）。その結果、変更ボタン３５がオンであることが分かると、１６ビットマイクロコンピュータ１４２は、トーン回路１４７よりタイムスイッチ回路１４６、ＰＣＭハイウェイ１６を介して、更に、例えば局線ユニット１６からアナログ加入者回線２側の発信側に話中音を返送して処理を終了する（ステップ６０８）。一方、変更ボタン３５がオンでなく、オフであることが分かった場合、１６ビットマイクロコンピュータ１４２は、トーン回路１４７よりタイムスイッチ回路１４６、ＰＣＭハイウェイ１６を介し、更に内線ユニット１２からボタン電話機３に呼び出し音を送出して処理を終了する（ステップ６０７）。
【００３５】
本実施の形態によれば、ボタン電話機３の変更ボタン３５をオンに予め設定しておけば、ボタン電話機３が仮想内線番号で通話中に、別のところから本電話機の内線番号に着信があった場合、主装置１から発信側に話中音を返送することができるため、発信者はボタン電話機３が話中であることを知り、電話を切るなどの適切な動作を行うことができ、図１に示した第１の実施の形態と同様の効果がある。
【００３６】
尚、本例の呼び出し方式の変更ボタン３５の操作は、予め行っておくもので、仮想内線番号で通話中に着信があって呼び出し音が発生した時に、前記変更ボタン３５をオン、オフしても呼び出し方式の設定は変わらないものとする。
【００３７】
（第３の実施の形態）
図７は本発明のボタン電話装置の第３の実施の形態を説明する図である。本例のボタン電話機３には、呼び出し方式の切換ボタン３６が設けられている他は、図１に示した第１の実施の形態と同様の構成であるため、主装置１などの動作は図１を借用して説明する。
【００３８】
次に本実施の形態の動作について図８のフローチャートを参照して説明する。まず、１チップマイクロコンピュータ１４１は着信分析を行い、その結果を１６ビットマイクロコンピュータ１４２に知らせる（ステップ８０１）。これにより、１６ビットマイクロコンピュータ１４２は、前記分析結果に基づいて着信先を検索し（ステップ８０２）、この例では、その着信先をボタン電話機３とする。次に１６ビットマイクロコンピュータ１４２は、着信先の内線番号２００番のボタン電話機３が通話中かどうかを判定し（ステップ８０３）、通話中でなければ、発信側に呼び出し音を送出する（ステップ８０４）。一方、通話中であれば、発信側に話中音を返送する（ステップ８０７）。
【００３９】
１６ビットマイクロコンピュータ１４２はステップ８０４にて、呼び出し音を送出中、発信側が回線を切断するか、又はボタン電話機３がオフフックするかなどの状態変化があると、処理を終了する（ステップ８０５）。状態変化がない場合、１６ビットマイクロコンピュータ１４２は、ボタン電話機３の切換ボタン３６が押下されたかどうかを判定し（ステップ８０６）、押下されない場合はステップ８０４に戻り、押下された場合はステップ８０７へ進み、呼び出し音送出を停止して、発信側に話中音を返送する。ここで、１６ビットマイクロコンピュータ１４２はステップ８０７にて話中音を返送中に、発信側の回線が切断されたかどうかを判定し、切断されない場合はステップ８０７に戻り、切断された場合は処理を終了する（ステップ８０８）。
【００４０】
本実施の形態によれば、ボタン電話機３の仮想内線番号を用いて通話中に、別のところから本来の内線番号に着信があって、本電話機３から呼び出し音が発生して、うるさい場合には、切換ボタン３６を押下することにより、前記呼び出し音の発生を停止させ、代わりに発信側に話中音を返送することができるため、第１の実施の形態と同様の効果がある。
【００４１】
尚、上記した仮想内線番号で通話中に着信があった場合、ボタン電話機３に呼び出し音を送出するモードなのか、或いは発信側に話中音を返送するモードなりかを、前記呼び出し方式切換ボタン３６の押下に応じて、ボタン電話機３の表示器３３に表示してもよい。あるいは、切換ボタン３６に組込まれたＬＥＤ等の発光素子の点灯か消灯かで、モードの設定状態がわかるようにしてもよい。
【００４２】
又、上記のように、仮想内線番号で通話中に切換ボタン３６を押して、発信側へ話中音を返送する方式に切り替えた場合、以降、この呼び出し方式が主装置１のＲＡＭ１４４に設定され、その後は、上記した仮想内線番号で通話中に、別のところから着信があった場合、必ず発信側へ話中音を返送する設定に自動的になる構成としてもよい。
【００４３】
更に、上記のように仮想内線番号で通話中に、別のところから着信があった場合、切換ボタン３６を押下しても、ＲＡＭ１４４に切換ボタン３６の押下を設定しておくのみで、今回は呼び出し方式は変わらず、このまま呼び出し音が発生し続けるが、次回、仮想内線番号で通話中に、別のところから着信があった場合、前記ＲＡＭ１４４の設定をチェックして、切換ボタン３６の押下が設定されていると、呼び出し音の送出の代わりに、話中音を発信側に返送するという制御を行ってもよい。
【００４４】
この場合、仮想内線番号で通話中に前記呼び出し音が発生している時以外に、前記切換ボタン３６を押下すると、これを検出して１６ビットマイクロコンピュータ１４２はＲＡＭ１４４に設定してある前記切換ボタン３６の押下設定をクリアーして、その後、仮想内線番号で通話中に、別のところから着信があった場合、ボタン電話機３に呼び出し音を送出する制御に装置に戻すようにするものとする。
【００４５】
（第４の実施の形態）
図９は本発明のボタン電話装置の第４の実施の形態を説明する図である。本例では、単独電話機４の代わりに、ボイスメール装置５が接続されている。又、ボタン電話機３には、図７の実施の形態で説明したのと同様に呼び出し方式の切換ボタン電話３６が設けられているため、以降、図７を借用して説明する。
【００４６】
次に本実施の形態の動作について図１０のフローチャートを参照して説明する。ステップ１０１〜１０６及びステップ１０８の動作は、図８に示したステップ８０１〜８０６及びステップ８０８の動作と同一である。異なるところはステップ１０７の動作である。即ち、図９の制御ユニット１４の１６ビットマイクロコンピュータ１４２は、ボタン電話機３が仮想内線番号で通話中に、別のところから着信があった場合、この発信側と、標準電話機ユニット１３をタイムスイッチ回路１４６により、ＰＣＭハイウェイ１６を介して接続すると共に、制御データハイウェイ１５より起動データを標準電話機ユニット１３に送ってボイスメール装置５を起動する（ステップ１０７）。これにより、ボイスメール装置５から、例えば「本電話機は通話中でありますでの、一旦電話を切ってしばらくたってからおかけ直し下さい」というようなボイスメールを発信側に送出する。
【００４７】
本実施の形態によれば、ボタン電話機３の仮想内線番号を用いて通話中に、別のところから本来の内線番号に着信があって、本電話機３から呼び出し音が発生して、うるさい場合には、切換ボタン３６を押下することにより、前記呼び出し音の発生を停止させ、代わりに発信側に通話中であることを知らせるボイスメールを返送することができるため、発信側にボタン電話機３の状況を明確に伝えることができる。他の効果は第１の実施の形態と同様である。
【００４８】
尚、前記呼び出し音の発生を停止させ、代わりに発信側に通話中であることを知らせるボイスメールを返送する構成は、第１、第２の実施の形態にても、同様にして構成することができ、同様の効果がある。
【００４９】
さらに、ボイスメールを返送するだけでなく、留守番電話の様に発信者のメッセージをも録音させるように構成してもよい。この様な構成にすれば、伝言を受付けることができ便利である。
【００５０】
（第５の実施の形態）
本実施の形態は図１及び図２に示したボタン電話装置と同様の構成を有し、主装置１に呼び出し方式を設定する方法が異なる。第３の実施の形態ではボタン電話機３の呼び出し方式の切換ボタン３６により呼び出し方式の切り換えを行うものであったが、本実施の形態ではボタン電話機３から特定番号をダイヤルすることにより呼び出し方式の切り換えを行う。
【００５１】
次に本実施の形態の動作について図１１のフローチャートを参照して説明する。まず、１チップマイクロコンピュータ１４１は着信分析を行い、その結果を１６ビットマイクロコンピュータ１４２に知らせる（ステップ１１１）。これにより、１６ビットマイクロコンピュータ１４２は、前記分析結果に基づいて着信先を検索し（ステップ１１２）、この例では、その着信先をボタン電話機３とし、ステップ１１３にてその着信先ボタン電話機３の表示器３３に発信者番号を表示させる（ステップ１１３）。次に１６ビットマイクロコンピュータ１４２は、着信先の内線番号２００番のボタン電話機３が通話中かどうかを判定し（ステップ１１４）、通話中でなければ、発信側に呼び出し音を送出する（ステップ１１５）。一方、通話中であれば、発信側に話中音を返送する（ステップ１１８）。
【００５２】
１６ビットマイクロコンピュータ１４２はステップ１１５にて、呼び出し音を送出中、発信側が回線を切断するか、又はボタン電話機３がオフフックするかなどの状態変化があると、処理を終了する（ステップ１１６）。状態変化がない場合、１６ビットマイクロコンピュータ１４２は、ボタン電話機３で特定番号がダイアルされたかどうかを判定し（ステップ１１７）、ダイアルされない場合はステップ１１５に戻り、ダイアルされた場合はステップ１１８へ進み、呼び出し音送出を停止して、発信側に話中音を返送する。ここで、１６ビットマイクロコンピュータ１４２はステップ１１８にて話中音を返送中に、発信側の回線が切断されたかどうかを判定し、切断されない場合はステップ１１８に戻り、切断された場合は処理を終了する（ステップ１１９）。
【００５３】
本実施の形態によれば、ボタン電話機３の仮想内線番号を用いて通話中に、別のところから本来の内線番号に着信があって、本電話機３から呼び出し音が発生して、うるさい場合には、特定番号をダイアルすることにより、前記呼び出し音の発生を停止させ、代わりに発信側に話中音を返送することができるため、第１の実施の形態と同様の効果がある。
【００５４】
尚、上記した仮想内線番号で通話中に着信があった場合、ボタン電話機３に呼び出し音を送出するモードなのか、或いは発信側に話中音を返送するモードなりかを、前記特定番号のダイアルに応じて、ボタン電話機３の表示器３３に表示してもよい。
【００５５】
又、上記のように、仮想内線番号で通話中に特定番号をダイアルして、発信側へ話中音を返送する方式に切り替えた場合、以降、この呼び出し方式が主装置１のＲＡＭ１４４に設定され、その後は、上記した仮想内線番号で通話中に、別のところから着信があった場合、必ず発信側へ話中音を返送する設定に自動的になる構成としてもよい。
【００５６】
更に、上記のように仮想内線番号で通話中に、別のところから着信があった場合、特定番号をダイアルしても、ＲＡＭ１４４に特定番号のダイアルを設定しておくのみで、今回は呼び出し方式は変わらず、このまま呼び出し音が発生し続けるが、次回、仮想内線番号で通話中に、別のところから着信があった場合、前記ＲＡＭ１４４の設定をチェックして、特定番号のダイアルが設定されていると、呼び出し音の送出の代わりに、話中音を発信側に返送するという制御を行ってもよい。
【００５７】
この場合、仮想内線番号で通話中に前記呼び出し音が発生している時以外に、前記特定番号のダイアルを押下すると、これを検出して１６ビットマイクロコンピュータ１４２はＲＡＭ１４４に設定してある前記特定番号のダイアル設定をクリアーして、その後、仮想内線番号で通話中に、別のところから着信があった場合、ボタン電話機３に呼び出し音を送出する制御に装置に戻すようにするものとする。
【００５８】
（第６の実施の形態）
本実施の形態は図１及び図２に示したボタン電話装置と同様の構成を有し、主装置１に呼び出し方式を設定する方式が異なる。上記実施の形態では発信側が誰であるかにかかわらず、ボタン電話機３の呼び出し方式をＢＴまたはＲＢＴに設定するものであった。本実施の形態では、上記第１乃至第５の実施の形態において、発信者番号対応に呼び出し方式の設定ができるようにしたものである。
【００５９】
図１２は、ＲＡＭ１４４に設定するメモリマップである。例えば、発信者番号ＡはＲＢＴに設定し、発信者番号ＢとＣはＢＴに設定するといった様に、予め発信者番号対応に呼び出し方式の設定をする。ボタン電話機３に着信があった場合、このメモリマップが参照され、発信者番号Ａからの着信のみ呼び出し音を鳴らし、発信者番号ＢやＣからの着信に対しては呼び出し音は鳴らさず発信側に話中音を返送する。
【００６０】
本実施の形態によれば、重要な取引先等からの着信のみを受付けることができ、不要な着信を排除することができるという効果を有する。
なお、上記実施の形態ではＲＡＭ１４４のメモリマップにＲＢＴとＢＴの双方の発信者番号を登録するよう構成したが、ＲＢＴまたはＢＴの一方のみを登録するよう構成し、登録されてない発信者番号に対しては他方の呼び出し設定となる構成としてもよい。
【００６１】
（第７の実施の形態）
本実施の形態は上記第６の実施の形態の変形例であり、発信者番号対応に呼び出し方式の設定ができるようにしたものであるが、ＲＢＴの登録がなされている発信者番号に優先度を付与した構成を有する。
【００６２】
図１３は、ＲＡＭ１４４に設定するメモリマップである。例えば、発信者番号Ａ、Ｂ、ＣはＲＢＴに設定されており、それぞれ優先度１、優先度２、優先度３が付与されている。ボタン電話機３に着信があった場合、このメモリマップが参照され、発信者番号Ａ、Ｂ、Ｃからの着信のみ呼び出し音を鳴らし、その他の発信者番号からの着信に対しては呼び出し音は鳴らさず発信側に話中音を返送する。ここで、発信者番号Ｂと仮想内線番号を用いて通話中に、発信者番号Ｃから内線番号に着信があった場合、メモリマップの優先度の比較が行われるが、発信者番号Ｂの方が優先度が高いため、発信者番号Ｃに対しては話中音を返送する。また、発信者番号Ｂと仮想内線番号を用いて通話中に、発信者番号Ａから内線番号に着信があった場合、メモリマップの優先度の比較が行われるが、発信者番号Ａの方が優先度が高いため、呼び出し音を送出させる。
【００６３】
本実施の形態によれば、着信させたい発信者を選択することができるとともに、更に着信させたい発信者の優先度に応じて適切な処置を取り得るという効果を有する。
【００６４】
（第８の実施の形態）
本実施の形態は図１４に示すボタン電話装置であり、保守ターミナル１５０が接続されている以外は図1 と同様の構成を有する。すなわち、上記実施の形態ではボタン電話機３から呼び出し方式の設定を行うものであるが、本実施例では、ボタン電話機３とは別に設けられた保守ターミナル１５０にある入力手段により行う。その他の動作は上記実施の形態と同様なので説明を省略する。
本実施の形態によれば、ボタン電話機３毎の呼び出し方式の設定を一括して行うことができるという効果を有する。
【００６５】
（第９の実施の形態）
本実施の形態は図１５に示すボタン電話装置であり、ボタン電話機３による通話とは別に制御ユニット１４とのデータの送受ができる情報端末装置例えばパーソナルコンピュータＰＣが接続されている以外は図１と同様の構成を有する。すなわち、上記実施の形態ではボタン電話機３から呼び出し方式の設定を行うものであるが、本実施の形態では、ボタン電話機３に接続されたパーソナルコンピュータＰＣからの操作により行う。その他の動作は上記第１乃至第７の実施の形態と同様なので説明を省略する。
【００６６】
本実施の形態によれば、ボタン電話機３毎の呼び出し方式の設定を情報端末装置を用いて行うことができるという効果を有する。
なお、上記実施の形態では、情報端末装置がボタン電話機３に接続されている例を示したがこれに限定されない。例えば、図１６に示すように、アナログ回線網２を介して接続されたパーソナルコンピュータＰＣからの操作で呼び出し方式の設定を行うように構成してもよい。
【００６７】
【発明の効果】
本発明によれば、着信先のボタン電話機が仮想内線番号を用いて通話中の時に当該ボタン電話機の内線番号に着信があった場合、この内線番号の発信側へ話中であることを知らせることができる。
【図面の簡単な説明】
【図１】本発明の電話交換装置の第１の実施の形態を示したブロック図。
【図２】図１に示したボタン電話機の詳細例を示した平面図。
【図３】図１に示した主装置に呼び出し方式の機能設定をする際の処理手順を示したフローチャート。
【図４】図１に示したボタン電話装置の呼び出し動作手順を示したフローチャート。
【図５】本発明のボタン電話装置の第２の実施の形態を説明する図。
【図６】図５に示したボタン電話装置の呼び出し動作手順を示したフローチャート。
【図７】本発明のボタン電話装置の第３の実施の形態を説明する図。
【図８】図７に示したボタン電話装置の呼び出し動作手順を示したフローチャート。
【図９】本発明のボタン電話装置の第４の実施の形態を説明するブロック図。
【図１０】図９に示したボタン電話装置の呼び出し動作手順を示したフローチャート。
【図１１】本発明のボタン電話装置の第５の実施の形態の動作手順を示したフローチャート。
【図１２】本発明のボタン電話装置の第６の実施の形態における主装置のメモリマップ。
【図１３】本発明のボタン電話装置の第７の実施の形態における主装置のメモリマップ。
【図１４】本発明のボタン電話装置の第８の実施の形態を説明するブロック図。
【図１５】本発明のボタン電話装置の第９の実施の形態を説明するブロック図。
【図１６】本発明のボタン電話装置の第９の実施の形態の変形を説明するブロック図。
【符号の説明】
１  主装置
２  アナログ加入者回線
３  ボタン電話機（ＤＫＴ）
４  単独電話機（ＳＬＴ）
１１  局線ユニット
１２  内線ユニット
１３  標準電話機ユニット
１４  制御ユニット
１５  制御データハイウェイ
１６  ＰＣＭハイウェイ
３１ｃ〜３１ｈ  フレキシブルボタン
３２  ダイヤルパッド
３３  表示器
３４  送受話器
３５  変更ボタン
３６  切換ボタン
１４１  １チップマイクロコンピュータ
１４２  １６ビットマクロコンピュータ
１４４  ＲＡＭ
１４６  タイムスイッチ回路
１４７  トーン回路
【図１】
0003737273.tif 000002
【図２】
0003737273.tif 000003
【図３】
0003737273.tif 000004
【図４】
0003737273.tif 000005
【図５】
0003737273.tif 000006
【図６】
0003737273.tif 000007
【図７】
0003737273.tif 000008
【図８】
0003737273.tif 000009
【図９】
0003737273.tif 000010
【図１０】
0003737273.tif 000011
【図１１】
0003737273.tif 000012
【図１２】
0003737273.tif 000013
【図１３】
0003737273.tif 000014
【図１４】
0003737273.tif 000015
【図１５】
0003737273.tif 000016
【図１６】
0003737273.tif 000017